(57)【要約】【課題】動画の再生に連動させて、動画に写っている被写体に関連する静止画像を表示させること。【解決手段】  閲覧者端末２００は、操作者から動画の再生指示を受け付ける動画再生指示受付手段と、動画再生指示手段によって動画の再生指示を受け付けたときに、動画の再生を開始する動画再生手段と、動画再生手段によって動画の再生が開始されると、動画の再生開始からの経過時間と、該経過時間を表示タイミングとして表示させる静止画像とを関連付けた関連付け情報を参照して、経過時間に応じた静止画像を表示する静止画像表示手段とを備える。【選択図】図１
2018082257.tif 000002
【特許請求の範囲】
【請求項１】
操作者から動画の再生指示を受け付ける動画再生指示受付手段と、
前記動画再生指示手段によって前記動画の再生指示を受け付けたときに、動画の再生を開始する動画再生手段と、
前記動画再生手段によって前記動画の再生が開始されると、動画の再生開始からの経過時間と、該経過時間を表示タイミングとして表示させる静止画像とを関連付けた関連付け情報を参照して、前記経過時間に応じた前記静止画像を表示する静止画像表示手段とを備えることを特徴とする情報表示装置。
【請求項２】
請求項１に記載の情報表示装置において、
前記動画再生指示受付手段は、動画を表示する動画表示領域と、前記静止画像を表示する静止画像表示領域とを有する表示画面上において、前記操作者から前記動画の再生指示を受け付け、
前記静止画像表示手段は、前記表示タイミングにおいて、前記静止画像表示領域内に前記静止画像を表示させることを特徴とする情報表示装置。
【請求項３】
請求項２に記載の情報表示装置において、
前記静止画像表示領域は、前記動画表示領域内または動画表示領域外に設けられることを特徴とする情報表示装置。
【請求項４】
請求項２または３に記載の情報表示装置において、
前記表示画面は、前記静止画像の表示履歴を表示する履歴表示領域をさらに有し、
前記静止画像表示手段は、前記表示タイミングにおいて、前記静止画像表示領域内に前記静止画像を表示させるときに、前記静止画像表示領域内に前の表示タイミングで表示された前記静止画像が表示されている場合には、該前の表示タイミングで表示された前記静止画像を前記履歴表示領域内に移動させて表示することを特徴とする情報表示装置。
【請求項５】
請求項４に記載の情報表示装置において、
前記静止画像表示手段は、前記履歴表示領域内に前記静止画像を移動させる場合には、最後に移動させた前記静止画像が前記履歴表示領域内で上位に表示されるように、前記履歴表示領域内における前記静止画像の表示位置を制御することを特徴とする情報表示装置。
【請求項６】
請求項１〜５のいずれか一項に記載の情報表示装置において、
前記静止画像は、前記表示タイミングにおいて前記動画内に写っている商品に関連する画像、または前記表示タイミングにおいて前記動画内に写っているサービスに関連する画像であることを特徴とする情報表示装置。
【請求項７】
請求項１〜６のいずれか一項に記載の情報表示装置において、
前記静止画像には、前記静止画像に関連するウェブサイトのＵＲＬ情報が関連付けて記録されており、
前記操作者によって前記静止画像が選択されると、選択された前記静止画像に関連付けられているＵＲＬ情報に基づいて前記静止画像に関連するウェブサイトにアクセスし、該ウェブサイトを表示するウェブサイト表示手段をさらに備えることを特徴とする情報表示装置。
【請求項８】
操作者から動画の再生指示を受け付ける動画再生指示受付手順と、
前記動画再生指示手順で前記動画の再生指示を受け付けたときに、動画の再生を開始する動画再生手順と、
前記動画再生手順で前記動画の再生が開始されると、動画の再生開始からの経過時間と、該経過時間を表示タイミングとして表示させる静止画像とを関連付けた関連付け情報を参照して、前記経過時間に応じた前記静止画像を表示する静止画像表示手順とをコンピュータに実行させるための情報表示プログラム。
【請求項９】
請求項８に記載の情報表示プログラムにおいて、
前記動画再生指示受付手順は、動画を表示する動画表示領域と、前記静止画像を表示する静止画像表示領域とを有する表示画面上において、前記操作者から前記動画の再生指示を受け付け、
前記静止画像表示手順は、前記表示タイミングにおいて、前記静止画像表示領域内に前記静止画像を表示させることを特徴とする情報表示プログラム。
【請求項１０】
請求項９に記載の情報表示プログラムにおいて、
前記静止画像表示領域は、前記動画表示領域内または動画表示領域外に設けられることを特徴とする情報表示プログラム。
【請求項１１】
請求項９または１０に記載の情報表示プログラムにおいて、
前記表示画面は、前記静止画像の表示履歴を表示する履歴表示領域をさらに有し、
前記静止画像表示手順は、前記表示タイミングにおいて、前記静止画像表示領域内に前記静止画像を表示させるときに、前記静止画像表示領域内に前の表示タイミングで表示された前記静止画像が表示されている場合には、該前の表示タイミングで表示された前記静止画像を前記履歴表示領域内に移動させて表示することを特徴とする情報表示プログラム。
【請求項１２】
請求項１１に記載の情報表示プログラムにおいて、
前記静止画像表示手順は、前記履歴表示領域内に前記静止画像を移動させる場合には、最後に移動させた前記静止画像が前記履歴表示領域内で上位に表示されるように、前記履歴表示領域内における前記静止画像の表示位置を制御することを特徴とする情報表示プログラム。
【請求項１３】
請求項８〜１２のいずれか一項に記載の情報表示プログラムにおいて、
前記静止画像は、前記表示タイミングにおいて前記動画内に写っている商品に関連する画像、または前記表示タイミングにおいて前記動画内に写っているサービスに関連する画像であることを特徴とする情報表示プログラム。
【請求項１４】
請求項８〜１３のいずれか一項に記載の情報表示プログラムにおいて、
前記静止画像には、前記静止画像に関連するウェブサイトのＵＲＬ情報が関連付けて記録されており、
前記操作者によって前記静止画像が選択されると、選択された前記静止画像に関連付けられているＵＲＬ情報に基づいて前記静止画像に関連するウェブサイトにアクセスし、該ウェブサイトを表示するウェブサイト表示手順をさらに有することを特徴とする情報表示プログラム。
【請求項１５】
情報提供者が操作する情報提供者端末と、前記情報提供者によって提供された情報を記録する情報管理装置と、前記情報管理装置に記録されている情報を閲覧する閲覧者が操作する閲覧者端末とを通信回線を介して接続した情報提供システムであって、
前記情報提供者端末は、
動画の選択を受け付ける動画選択受付手段と、
前記動画選択受付手段によって選択を受け付けた前記動画に対して、動画の再生開始から所定時間が経過した時点を、静止画像の表示タイミングとして指定を受け付ける表示タイミング指定受付手段と、
前記表示タイミング指定受付手段によって指定を受け付けた前記表示タイミングにおいて表示させる静止画像の選択を受け付ける静止画像選択受付手段と、
前記動画選択受付手段によって選択を受け付けた前記動画を特定するための動画特定用情報と、前記表示タイミング指定受付手段によって指定を受け付けた前記表示タイミングを示す表示タイミング情報と、前記静止画像選択受付手段によって選択を受け付けた前記静止画像を特定するための静止画像特定用情報とを含んだ提供用情報を前記情報管理装置へ送信する情報送信手段とを備え、
前記情報管理装置は、
前記情報提供者端末から前記提供用情報を受信すると、前記動画特定用情報と、前記表示タイミング情報と、前記静止画像特定用情報とを関連付けて記録する提供用情報記録手段を備え、
前記閲覧者端末は、
動画の再生指示を受け付ける動画再生指示受付手段と、
前記動画再生指示手段によって前記動画の再生指示を受け付けたときに、前記情報管理装置から前記動画を取得して再生を開始する動画再生手段と、
前記動画再生手段によって前記動画の再生が開始されると、前記情報管理装置に記録されている前記提供用情報に基づいて、再生中の動画の経過時間に応じて、表示タイミングとなった前記静止画像を特定し、特定した前記静止画像を前記情報管理装置から取得して表示する静止画像表示手段とを備えることを特徴とする情報提供システム。
【請求項１６】
請求項１５に記載の情報提供システムにおいて、
前記動画再生指示受付手段は、動画を表示する動画表示領域と、前記静止画像を表示する静止画像表示領域とを有する表示画面上において、前記閲覧者から前記動画の再生指示を受け付け、
前記静止画像表示手段は、前記表示タイミングにおいて、前記静止画像表示領域内に前記静止画像を表示させることを特徴とする情報提供システム。
【請求項１７】
請求項１６に記載の情報提供システムにおいて、
前記静止画像表示領域は、前記動画表示領域内または動画表示領域外に設けられることを特徴とする情報提供システム。
【請求項１８】
請求項１６または１７に記載の情報提供システムにおいて、
前記表示画面は、前記静止画像の表示履歴を表示する履歴表示領域をさらに有し、
前記静止画像表示手段は、前記表示タイミングにおいて、前記静止画像表示領域内に前記静止画像を表示させるときに、前記静止画像表示領域内に前の表示タイミングで表示された前記静止画像が表示されている場合には、該前の表示タイミングで表示された前記静止画像を前記履歴表示領域内に移動させて表示することを特徴とする情報提供システム。
【請求項１９】
請求項１８に記載の情報提供システムにおいて、
前記静止画像表示手段は、前記履歴表示領域内に前記静止画像を移動させる場合には、最後に移動させた前記静止画像が前記履歴表示領域内で上位に表示されるように、前記履歴表示領域内における前記静止画像の表示位置を制御することを特徴とする情報提供システム。
【請求項２０】
請求項１５〜１９のいずれか一項に記載の情報提供システムにおいて、
前記静止画像は、前記表示タイミングにおいて前記動画内に写っている商品に関連する画像、または前記表示タイミングにおいて前記動画内に写っているサービスに関連する画像であることを特徴とする情報提供システム。
【請求項２１】
請求項１５〜２０のいずれか一項に記載の情報提供システムにおいて、
前記情報管理装置では、前記静止画像には、前記静止画像に関連するウェブサイトのＵＲＬ情報が関連付けて記録されており、
前記閲覧者端末は、
前記操作者によって前記静止画像が選択されると、選択された前記静止画像に関連付けられているＵＲＬ情報に基づいて前記静止画像に関連するウェブサイトにアクセスし、該ウェブサイトを表示するウェブサイト表示手段をさらに備えることを特徴とする情報提供システム。
【発明の詳細な説明】
【技術分野】
【０００１】
本発明は、情報表示装置、情報表示プログラム、および情報提供システムに関する。
【背景技術】
【０００２】
次のような映像・データ表示方法が知られている。この方法では、映像の表示中に、映像に同期させてデータを表示させる（例えば、特許文献１）。
【先行技術文献】
【特許文献】
【０００３】
【特許文献１】特開平１０−１９１２７３号公報
【発明の概要】
【発明が解決しようとする課題】
【０００４】
動画を視聴している視聴者は、動画に写っている商品やサービスに興味をもった場合など、特定のシーンに注目することがある。動画では、シーンが時間とともに変化するため、視聴者が特定のシーンに注目した場合、その場面まで動画を巻き戻したり、その場面で動画を一時停止させたりする必要があった。このため、動画の再生に同期して、各シーン対応する静画画像を表示させることができれば、視聴者は、動画を巻き戻したり一時停止させたりしなくても、静止画像を閲覧することで、興味をもった商品やサービスに関する画像を閲覧することができる。しかしながら、従来の映像・データ表示方法では、映像に同期させて静止画像を表示させるための技術については、何ら検討されていなかった。
【課題を解決するための手段】
【０００５】
本発明による情報表示装置は、操作者から動画の再生指示を受け付ける動画再生指示受付手段と、動画再生指示手段によって動画の再生指示を受け付けたときに、動画の再生を開始する動画再生手段と、動画再生手段によって動画の再生が開始されると、動画の再生開始からの経過時間と、該経過時間を表示タイミングとして表示させる静止画像とを関連付けた関連付け情報を参照して、経過時間に応じた静止画像を表示する静止画像表示手段とを備えることを特徴とする。
本発明による情報表示プログラムは、操作者から動画の再生指示を受け付ける動画再生指示受付手順と、動画再生指示手順で動画の再生指示を受け付けたときに、動画の再生を開始する動画再生手順と、動画再生手順で動画の再生が開始されると、動画の再生開始からの経過時間と、該経過時間を表示タイミングとして表示させる静止画像とを関連付けた関連付け情報を参照して、経過時間に応じた静止画像を表示する静止画像表示手順とをコンピュータに実行させるためのものである。
本発明による情報提供システムは、情報提供者が操作する情報提供者端末と、情報提供者によって提供された情報を記録する情報管理装置と、情報管理装置に記録されている情報を閲覧する閲覧者が操作する閲覧者端末とを通信回線を介して接続したシステムであって、情報提供者端末は、動画の選択を受け付ける動画選択受付手段と、動画選択受付手段によって選択された動画に対して、動画の再生開始から所定時間が経過した時点を、静止画像の表示タイミングとして指定を受け付ける表示タイミング指定受付手段と、表示タイミング指定受付手段によって指定を受け付けた表示タイミングにおいて表示させる静止画像の選択を受け付ける静止画像選択受付手段と、動画選択受付手段によって選択を受け付けた動画を特定するための動画特定用情報と、表示タイミング指定受付手段によって指定を受け付けた表示タイミングを示す表示タイミング情報と、静止画像選択受付手段によって選択を受け付けた静止画像を特定するための静止画像特定用情報とを含んだ提供用情報を情報管理装置へ送信する情報送信手段とを備え、情報管理装置は、情報提供者端末から提供用情報を受信すると、動画特定用情報と、表示タイミング情報と、静止画像特定用情報とを関連付けて記録する提供用情報記録手段を備え、閲覧者端末は、動画の再生指示を受け付ける動画再生指示受付手段と、動画再生指示手段によって動画の再生指示を受け付けたときに、情報管理装置から動画を取得して再生を開始する動画再生手段と、動画再生手段によって動画の再生が開始されると、情報管理装置に記録されている提供用情報に基づいて、再生中の動画の経過時間に応じて、表示タイミングとなった静止画像を特定し、特定した静止画像を情報管理装置から取得して表示する静止画像表示手段とを備えることを特徴とする。
【発明の効果】
【０００６】
本発明によれば、動画の再生が開始されると、動画の再生開始からの経過時間に応じた静止画像を表示させるため、動画の視聴者は、動画の再生に同期して、各シーン対応する静画画像を閲覧することができる。
【図面の簡単な説明】
【０００７】
【図１】情報提供システム１０の一実施の形態の構成を示すブロック図である。
【図２】情報管理装置１００の一実施の形態の構成を示すブロック図である。
【図３】閲覧者端末２００の一実施の形態の構成を示すブロック図である。
【図４】情報提供者端末３００の一実施の形態の構成を示すブロック図である。
【図５】閲覧者端末２００に表示される表示画面の一例を模式的に示した第一の図である。
【図６】閲覧者端末２００に表示される表示画面の一例を模式的に示した第二の図である。
【図７】情報管理装置１００で実行される処理の流れを示すフローチャート図である。
【図８】情報提供者端末３００で実行される処理の流れを示すフローチャート図である。
【図９】閲覧者端末２００で実行される処理の流れを示すフローチャート図である。
【発明を実施するための形態】
【０００８】
図１は、本実施の形態における情報提供システム１０の一実施の形態の構成を示すブロック図である。情報提供システム１０は、情報管理装置１００と、閲覧者端末２００と、情報提供者端末３００で構成される。本実施の形態では、情報管理装置１００と閲覧者端末２００、および情報管理装置１００と情報提供者端末３００は、例えばインターネットや携帯電話網等の通信回線を介してそれぞれ接続される。なお、図１では、情報提供システム１０は、情報管理装置１００、閲覧者端末２００、情報提供者端末３００とがそれぞれ１台ずつで構成される例を示しているが情報提供システム１０の構成はこれに限定されない。
【０００９】
図２は、本実施の形態における情報管理装置１００としてサーバ装置を用いた場合の一実施の形態の構成を示すブロック図である。情報管理装置１００は、操作部材１０１と、接続インターフェース１０２と、制御装置１０３と、記憶媒体１０４とを備えている。
【００１０】
操作部材１０１は、情報管理装置１００の操作者によって操作される種々の装置、例えばキーボードやマウスを含む。
【００１１】
接続インターフェース１０２は、情報管理装置１００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、情報管理装置１００は、この接続インターフェース１０２を介して外部のサーバや閲覧者端末２００、情報提供者端末３００と通信する。
【００１２】
制御装置１０３は、ＣＰＵ、メモリ、およびその他の周辺回路によって構成され、情報管理装置１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース１０２を介して読み込まれたデータは、バッファメモリに一時的に記録される。
【００１３】
記憶媒体１０４は、情報管理装置１００が蓄える種々のデータや、制御装置１０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体１０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体１０４にインストールすることによって、制御装置１０３がプログラムを実行できるようになる。
【００１４】
閲覧者端末２００は、情報提供システム１０を利用するユーザが所有する端末である。閲覧者端末２００としては、例えばスマートフォン、タブレット端末、パソコン等の情報端末が用いられる。
【００１５】
図３は、本実施の形態における閲覧者端末２００としてスマートフォンを用いた場合の一実施の形態の構成を示すブロック図である。本実施の形態では、スマートフォンに情報管理装置１００と通信を行って、以下に説明する処理を実行するための閲覧者端末用ソフトウェアがインストールされることにより、本実施の形態における閲覧者端末２００として動作する。なお、閲覧者端末用ソフトウェアのプログラムは、インターネットを介して接続されたサーバ上で公開されることにより提供され、ユーザがこれをダウンロードにより入手し、閲覧者端末２００にあらかじめインストールされているものとする。あるいは、閲覧者端末用ソフトウェアのプログラムは、ＣＤ−ＲＯＭやＤＶＤ−ＲＯＭ等の記録媒体に記録されて提供されるようにしてもよい。
【００１６】
閲覧者端末２００は、タッチパネル２０１と、通信モジュール２０２と、制御装置２０３とを備えている。
【００１７】
タッチパネル２０１は、液晶パネル等の表示装置とタッチパッドのような位置入力装置を組み合わせた電子部品であり、画面上の表示を押すことで機器を操作することができる入力装置である。例えば、閲覧者端末２００のユーザは、液晶パネル上に表示されたボタンやメニュー等の表示項目を指やタッチペンを用いてタッチまたはスライドさせることにより、閲覧者端末２００を操作することができる。タッチパネル２０１は、ユーザによるタッチやスライドといった操作を検出して、その検出信号を制御装置２０３へ出力する。
【００１８】
通信モジュール２０２は、無線または有線により、ＬＡＮや携帯電話通信網を介してインターネットに接続するためのモジュールが用いられる。閲覧者端末２００は、この通信モジュール２０２を介して情報管理装置１００と通信を行う。
【００１９】
制御装置２０３は、ＣＰＵ、メモリ、およびその他の周辺回路によって構成され、閲覧者端末２００の全体を制御する。なお、制御装置２０３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、閲覧者端末２００を動作させるためのファームウェアや種々のアプリケーションを動作させるためのソフトウェアのプログラムデータが記録される。本実施の形態では、この不揮発性のメモリに、上述した閲覧者端末用ソフトウェアのプログラムが記録されている。
【００２０】
情報提供者端末３００は、情報提供システム１０を介して、閲覧者端末２００を所持するユーザに向けて情報の公開を希望する情報提供者が所持する端末である。情報提供者端末３００としては、例えばスマートフォン、タブレット端末、パソコン等の情報端末が用いられる。
【００２１】
図４は、本実施の形態における情報提供者端末３００としてパソコンを用いた場合の一実施の形態の構成を示すブロック図である。本実施の形態では、パソコンに情報管理装置１００と通信を行って、以下に説明する処理を実行するための情報提供者端末用ソフトウェアがインストールされることにより、本実施の形態における情報提供者端末３００として動作する。なお、情報提供者端末用ソフトウェアのプログラムは、インターネットを介して接続されたサーバ上で公開されることにより提供され、ユーザがこれをダウンロードにより入手し、情報提供者端末３００にあらかじめインストールされているものとする。あるいは、情報提供者端末用ソフトウェアのプログラムは、ＣＤ−ＲＯＭやＤＶＤ−ＲＯＭ等の記録媒体に記録されて提供されるようにしてもよい。
【００２２】
情報提供者端末３００は、操作部材３０１と、接続インターフェース３０２と、制御装置３０３と、記憶媒体３０４と、表示装置３０５とを備えている。
【００２３】
操作部材３０１は、情報提供者端末３００の操作者によって操作される種々の装置、例えばキーボードやマウスを含む。
【００２４】
接続インターフェース３０２は、情報提供者端末３００を他の装置や端末等の外部機器と接続するためのインターフェースである。例えば、情報提供者端末３００は、ＬＡＮやインターネット等の通信回線に接続するためのインターフェースや、外部の記憶媒体を接続するためのインターフェースが含まれる。情報提供者端末３００は、この接続インターフェース３０２を介して情報管理装置１００と通信を行う。
【００２５】
制御装置３０３は、ＣＰＵ、メモリ、およびその他の周辺回路によって構成され、情報提供者端末３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース３０２を介して読み込まれたデータは、バッファメモリに一時的に記録される。
【００２６】
記憶媒体３０４は、情報提供者端末３００が蓄える種々のデータや、制御装置３０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体３０４に記録されるプログラムのデータは、ＣＤ−ＲＯＭやＤＶＤ−ＲＯＭなどの記録媒体に記録されて提供されたり、ネットワークを介して提供され、公開者が取得したプログラムのデータを記憶媒体３０４にインストールすることによって、制御装置３０３がプログラムを実行できるようになる。本実施の形態では、この記憶媒体３０４に、上述した情報提供者端末用ソフトウェアのプログラムが記録されている。
【００２７】
表示装置３０５は、例えば液晶モニタであって、制御装置３０３から出力される種々の表示用データが表示される。
【００２８】
本実施の形態における情報提供システム１０では、情報管理装置１００の記憶媒体１０４に動画データが記録されている。動画データは、あらかじめ取得されて記憶媒体１０４に記録されているものとする。例えば、情報管理装置１００の使用者が事前に撮影された動画のデータを記憶媒体１０４に記録してもよいし、閲覧者端末２００や情報提供者端末３００から通信回線を介してアップロードされたものが記憶媒体１０４に記録されてもよい。また、制御装置１０３が、インターネットを介して、ソーシャル・ネットワーキング・サービス（以下、「ＳＮＳ」と呼ぶ）を利用して投稿された動画を取得して記憶媒体１０４に記録するようにしてもよい。
【００２９】
ここでは、制御装置１０３がＳＮＳで投稿された動画を取得する場合について説明する。ＳＮＳにおいては、サービスを利用するために会員登録を行った会員ユーザは、ＳＮＳを提供するＷＥＢサイトへアクセスしたり、ＳＮＳを利用するためのソフトウェアを起動することにより、ＳＮＳを利用することができる。ＳＮＳの会員ユーザは、ＳＮＳ上でメッセージ、画像、動画を投稿したり、他の会員ユーザが投稿したメッセージやメッセージ、画像、動画を閲覧することができる。
【００３０】
例えば、商品を販売する企業や店舗の経営者や従業者は、自社または自店舗が取り扱う商品に関する動画を撮影してＳＮＳに投稿することで、一般消費者を含む他の会員ユーザに、商品の宣伝広告を行う場合がある。また、サービスを提供する企業や店舗の経営者や従業者は、自社または自店舗が提供するサービスに関する動画を撮影してＳＮＳに投稿することで、一般消費者を含む他の会員ユーザに、サービスの宣伝広告を行う場合がある。
【００３１】
例えば、情報管理装置１００には、記憶媒体１０４にＳＮＳ上に投稿された投稿動画を取得するための動画取得用ソフトウェアが記録されている。制御装置１０３は、所定のタイミングにおいて、動画取得用ソフトウェアを起動して、接続インターフェース１０２を介して、インターネット上のＳＮＳサーバから投稿動画を取得する。本実施の形態では、例えば、ＳＮＳサーバから投稿動画を取得するためのＡＰＩ（アプリケーションプログラミングインターフェース）が用意されており、動画取得用ソフトウェアには、該ＡＰＩが実装されているものとする。
【００３２】
なお、投稿動画を取得するためにアクセスするＳＮＳサーバの情報は、あらかじめ動画取得用ソフトウェアまたはＡＰＩ側で定義されているものとする。また、情報管理装置１００が投稿動画を取得するＳＮＳの数は限定されず、複数のＳＮＳからそれぞれ投稿動画を取得することもできる。複数のＳＮＳから投稿動画を取得する場合には、それぞれのＳＮＳの仕様に合ったＡＰＩが用意され、それぞれが動画取得用ソフトウェアに実装されている。また、制御装置１０３がＳＮＳサーバから投稿動画を取得するタイミングは、あらかじめ設定されており、例えば、１分ごとや５分後といったように、あらかじめ設定された所定時間間隔でＳＮＳサーバにアクセスして、投稿動画を取得すればよい。ここに示した投稿動画の取得タイミングは一例であって、このタイミングに限定されるものではない。
【００３３】
制御装置１０３は、ＳＮＳサーバから取得した投稿動画を記憶媒体１０４に記録する。これによって、ＳＮＳ上に投稿された動画のデータが記憶媒体１０４に記録される。なお、記憶媒体１０４に記録する動画データを、ＳＮＳサーバから取得した動画データとすることはあくまでも一例であり、本実施の形態では、情報管理装置１００の記憶媒体１０４には、商品やサービスに関する動画が記録されているものとする。
【００３４】
情報提供者端末３００のユーザである情報提供者は、情報提供者端末３００を操作して、上述した情報提供者端末用ソフトウェアを起動し、表示装置３０５に表示された情報提供者端末用画面上で、動画と静止画像の関連付け作業を行う。ここで、情報提供者端末３００で実行される動画と静止画像の関連付け処理について説明する。
【００３５】
制御装置３０３は、情報提供者端末用ソフトウェアの起動が指示されると、表示装置３０５上に情報提供者端末用画面を表示する。このとき、制御装置３０３は、情報管理装置１００にアクセスし、記憶媒体１０４に記録されている動画を取得し、情報提供者端末用画面上に一覧表示する。情報提供者が、一覧表示された動画の中から、静止画像を関連付けたい動画を選択すると、制御装置３０３は、選択された動画を静止画像との関連付けを行う対象動画として特定する。なお、情報提供者は、一覧表示された動画をファイル名、撮影日時、撮影者の情報などをもとに絞り込んで表示できるようにしてもよい。
【００３６】
本実施の形態では、情報提供者は、閲覧者が動画を閲覧しているときに、任意のタイミングで静止画像を表示させるように設定することができる。このために、情報提供者は、情報提供者端末３００を操作して、対象画像に対して、静止画像の表示タイミングと、該表示タイミングで表示する静止画像を関連付けることができる。
【００３７】
制御装置３０３は、情報提供者によって、対象動画の再生開始が指示されると、情報提供者端末用画面上に設けられた再生領域内に対象動画を表示して再生を開始する。情報提供者は、対象動画の再生が始まると、再生途中の任意のタイミングで動画を一時停止させ、そのタイミングで表示させる静止画像を選択することができる。制御装置３０３は、対象動画の再生途中で情報提供者によって一時停止が指示されると、動画を一時停止させるとともに、情報提供者から静止画像の選択を受け付ける。なお、ここで選択を受け付ける静止画像は、１つであってもよいし、複数であってもよい。
【００３８】
静止画像は、あらかじめ情報管理装置１００の記憶媒体１０４に記録されており、制御装置３０３は、情報管理装置１００から取得した静止画像の中から、対象動画に関連付ける静止画像の選択を受け付ける。
【００３９】
本実施の形態では、動画の閲覧者、すなわち視聴者が動画を視聴しているときに、動画内に写っている商品やサービスに関連する静止画像を表示させるために、情報提供者は、記憶媒体１０４に記録されている静止画像の中から、商品やサービスに関連する静止画像を選択する。これによって、視聴者が動画を視聴しているときに、動画内に商品やサービスまたはこれらに関連する被写体が写ったタイミングで、その商品やサービスに関連する静止画像を表示させて、視聴者に提示することができる。なお、商品に関連する静止画像としては、例えば、商品を被写体として撮影した画像が想定され、サービスに関連する静止画像としては、例えば、閲覧者がサービス内容を把握することができるような画像が想定される。情報提供者は、画像に関連付ける静止画像を選択するために、商品名やサービス名などで静止画像を検索することができるようにしてもよい。
【００４０】
制御装置３０３は、情報提供者によって少なくとも１つの静止画像が選択されると、動画が一時停止されたタイミングを静止画像の表示タイミングとし、該表示タイミングを特定するための表示タイミング情報と、情報提供者によって選択された静止画像を特定するための静止画像特定用情報をと関連付けてメモリに記録する。本実施の形態では、表示タイミング情報は、動画の再生開始からの経過時間とし、静止画像特定用情報は、静止画像のファイル名とする。例えば、動画の再生が開始されてから１０秒経過した時点で一時停止され、そのタイミングで「ＡＢＣＤＥ．ｊｐｇ」というファイル名の静止画像が選択された場合には、表示タイミング情報は「１０秒」となり、静止画像特定用情報を「ＡＢＣＤＥ．ｊｐｇ」となる。
【００４１】
情報提供者は、ある表示タイミングにおける静止画像の関連付けが完了すると、動画の再生を再開させる。そして、次の表示タイミングがある場合には、そのタイミングで動画を一時停止させ、そのタイミングで表示させる静止画像を選択する。情報提供者は、動画の再生が終了するまでこの作業を繰り返す。これによって、対象動画に対して、少なくとも１つの表示タイミング情報と静止画像特定用情報の組がメモリに記録される。なお、各表示タイミングにおいて関連付けできる静止画像は、１つであっても複数であってもよい。
【００４２】
制御装置３０３は、対象動画の再生が終了して、対象動画に対する表示タイミング情報と静止画像特定用情報の記録が終了すると、対象動画を特定するための動画特定用情報、例えばファイル名と、少なくとも１つの表示タイミング情報と静止画像特定用情報の組を関連付けた提供用情報を画像管理装置１００へ送信する。
【００４３】
情報管理装置１００では、制御装置１０３は、情報提供者端末３００から提供用情報を受信すると、提供用情報を記憶媒体１０４へ記録する。これによって、記憶媒体１０４には、動画特定用情報と表示タイミング情報と静止画像特定用情報とが関連付けられた提供用情報が記録される。
【００４４】
また、情報提供者は、情報提供者端末３００を操作して、あらかじめ商品やサービスに関する静止画像に、被写体に関する情報が掲載されたＷＥＢページへのリンク情報を関連付けることができる。
【００４５】
被写体に関する情報が掲載されたＷＥＢページとしては、例えば、商品を被写体として撮影した静止画像の場合は、被写体として写っている商品が販売されているショッピングサイトのＷＥＢページや、被写体として写っている商品の商品情報が掲載されたＷＥＢページなどが想定される。一例を挙げると、洋服、バッグ、アクセサリーなどのファッションアイテムが被写体として撮影されている静止画像に対しては、ファッションアイテムを販売する販売ページのＵＲＬをリンク情報として関連付けることができる。あるいは、インテリア、雑貨、小物などの商品が被写体として撮影されている静止画像に対しては、インテリア、雑貨、小物のジャンルに含まれる商品を販売する販売ページのＵＲＬをリンク情報として関連付けることができる。
【００４６】
また、サービスに関連する被写体を撮影した静止画像の場合は、そのサービスを予約するための予約サイトのＷＥＢページや、サービスに関する情報が掲載されたＷＥＢページなどが想定される。一例を挙げると、エステや美容院などのサービスを提供する事業者が、消費者がサービス内容を把握することができるような画像を撮影した場合には、その静止画像に対しては、エステや美容院などの予約を行うための予約ページのＵＲＬをリンク情報として関連付けることができる。あるいは、レストランやホテルにおいてサービスを提供する事業者が、消費者がサービス内容を把握することができるような画像を撮影した場合には、その静止画像に対しては、レストランやホテルの予約を行うための予約ページのＵＲＬをリンク情報として関連付けることができる。
【００４７】
まず、静止画像に対してリンク情報を関連付けるための処理について説明する。制御装置３０３は、情報提供者によっていずれかの静止画像が指定され、その静止画像に対するリンク情報の関連付けが指示された場合には、表示装置３０５上に、指定された静止画像に対する画像管理画面を表示する。画像管理画面には、選択された静止画像とともに、その静止画像に写っている被写体に関する情報が掲載されたＷＥＢページのアクセス先を示す情報、例えばＵＲＬを入力する入力欄が設けられている。情報提供者は、この入力欄に被写体に関する情報が掲載されたＷＥＢページのＵＲＬを入力することができる。制御装置３０３は、情報提供者によってＵＲＬの入力が確定されると、情報管理装置１００へ、画像管理画面上で入力されたＵＲＬの保存を要求する。
【００４８】
情報管理装置１００では、制御装置１０３は、情報提供者端末３００からＵＲＬの保存要求を受信した場合には、情報提供者端末３００の画像管理画面上で指定されたＵＲＬの入力を受け付けて、該ＵＲＬと、ＵＲＬが指定された静止画像のファイル名とを関連付けたリンク関連付け情報を記憶媒体１０４に記録する。なお、情報提供者は、上述した画像管理画面上で、商品名、商品の説明、商品の価格、またはサービス名、サービス内容の説明、サービスの価格などの関連情報を入力できるようにしてもよく、その場合は、制御装置１０３は、情報提供者端末３００の画像管理画面上で入力された関連情報もリンク関連付け情報に含めて記録するようにすればよい。また、制御装置１０３は、静止画像とＵＲＬとを関連付けるとともに、その関連付け情報を一意に特定するための管理ＩＤを発行し、この管理ＩＤもリンク関連付け情報に含めて、静止画像、ＵＲＬと関連付けてもよい。
【００４９】
情報提供システム１０を利用して動画の視聴を希望するユーザ、すなわち閲覧者は、閲覧者端末２００上で、上述した閲覧者端末用ソフトウェアを起動させて、以下に説明するような操作を行うことができる。
【００５０】
制御装置２０３は、閲覧者端末用ソフトウェアの実行が指示されると、情報管理装置１００にアクセスして、情報管理装置１００の記憶媒体１０４に記録されている動画の動画特定用情報、例えば動画のファイル名を受信して、タッチパネル２０１に一覧表示する。このとき、動画内容を表すサムネイル画像や動画の説明文章などが記憶媒体１０４に記録されている場合には、制御装置２０３は、これらも取得してタッチパネル２０１上に表示してもよい。
【００５１】
閲覧者は、タッチパネル２０１に一覧表示された動画特定用情報の中から、閲覧したい動画の動画特定用情報を選択することによって、動画の再生を指示することができる。制御装置２０３は、閲覧者によって特定の動画の再生が指示されると、再生が指示された動画のデータと、該動画データの動画特定用情報を含む提供用情報とを情報管理装置１００から取得する。そして、制御装置２０３は、タッチパネル２０１上に表示画面を表示して、動画の再生を開始する。表示画面は、例えば、図５に示すように、動画を表示する動画表示領域５ａと、静止画像を表示する静止画像表示領域５ｂと、履歴表示領域５ｃとを有し、制御装置２０３は、動画表示領域５ａ内に動画を表示して再生を行う。
【００５２】
制御装置２０３は、動画の再生を開始すると、提供用情報に基づいて、再生中の動画の経過時間に応じた静止画像の表示タイミングを特定し、該表示タイミングに関連付けられている静止画像を情報管理装置１００から取得して静止画像表示領域５ｂ内に表示する。例えば、図５においては、動画表示領域５ａ内で再生されている動画の最初の表示タイミングで画像１と画像２が静止画像表示領域５ｂ内に表示された例を示している。これによって、閲覧者は、再生中の動画に写っている商品やサービスに関連する静止画像を確認することができる。
【００５３】
制御装置２０３は、その後も動画再生からの経過時間の監視を続け、次の静止画像の表示タイミングにおいて、その表示タイミングに関連付けられている静止画像を情報管理装置１００から取得して静止画像表示領域５ｂ内に表示する。このとき、制御装置２０３は、それまで静止画像表示領域５ｂ内に表示されていた前の表示タイミングで表示された静止画像を履歴表示領域５ｃに移動させる。これによって、閲覧者は、再生中の動画に写っている商品やサービスに関連する静止画像を静止画像表示領域５ｂ内で確認することができるとともに、再生中の動画に写っていた商品やサービスに関連する静止画像を履歴表示領域５ｃ内で確認することができる。
【００５４】
再生中の動画に複数の表示タイミングが設定されている場合は、動画再生からの経過時間が表示タイミングに到達するごとに、静止画像表示領域５ｂ内に表示される静止画像が切り替わる。また、これに伴って、履歴表示領域５ｃ内に表示される静止画像の数が増えていく。このとき、制御装置２０３は、最後に移動させた静止画像が履歴表示領域５ｃ内で上位に表示されるように、履歴表示領域５ｃ内における静止画像の表示位置を制御する。具体例について図６を用いて説明する。
【００５５】
図６は、最初の表示タイミングで静止画像表示領域５ｂ内に画像１と画像２が表示され、２番目の表示タイミングで静止画像表示領域５ｂ内に画像３と画像４が表示され、３番目の表示タイミングでは、静止画像表示領域５ｂ内に画像５と画像６が表示され、４番目の表示タイミングでは、静止画像表示領域５ｂ内に画像７と画像８が表示された例を示している。この場合、２番目の表示タイミングで静止画像表示領域５ｂ内に画像３と画像４が表示された際には、それまで静止画像表示領域５ｂ内に表示されていた画像１と画像２は、履歴表示領域５ｃ内に移動される。３番目の表示タイミングで静止画像表示領域５ｂ内に画像５と画像６が表示された際には、それまで静止画像表示領域５ｂ内に表示されていた画像３と画像４は、履歴表示領域５ｃ内に移動される。４番目の表示タイミングで静止画像表示領域５ｂ内に画像７と画像８が表示された際には、それまで静止画像表示領域５ｂ内に表示されていた画像５と画像６は、履歴表示領域５ｃ内に移動される。このとき、３番目の表示タイミングでは、最後に移動させた画像３と画像４は、画像１と画像２よりも履歴表示領域５ｃ内で上位に表示されて、４番目の表示タイミングでは、最後に移動させた画像５と画像６は、画像３と画像４よりもさらに上位に表示される。これによって、履歴表示領域５ｃ内における画像１〜６の配置は、図６に示すようになる。
【００５６】
閲覧者は、静止画像表示領域５ｂや履歴表示領域５ｃに表示されている静止画像をタッチパネル２０１上でタッチして選択することができる。制御装置２０３は、閲覧者によっていずれかの静止画像が選択されたことを検出した場合には、情報管理装置１００の記憶媒体１０４に記録されているリンク関連付け情報を参照して、被写体に関する情報が掲載されたＷＥＢページへのリンク情報、例えば、ＵＲＬを特定する。具体的には、制御装置２０３は、閲覧者によって選択された静止画像のファイル名を含むリンク関連付け情報が情報管理装置１００の記憶媒体１０４に記録されているか否かを判定する。その結果、リンク関連付け情報が記録されていれば、そのリンク関連付け情報内で、静止画像のファイル名にリンク情報として関連付けられているＷＥＢページのＵＲＬを特定する。
【００５７】
制御装置２０３は、特定したＵＲＬに基づいて、被写体に関する情報が掲載されたＷＥＢページにアクセスし、タッチパネル２０１上に、被写体に関する情報が掲載されたＷＥＢページを表示する。これによって、閲覧者は、動画に関連して表示された静止画像の中から、好みの被写体を見つけ出して、その被写体に関する情報が掲載されたＷＥＢページに容易にアクセスすることができる。
【００５８】
例えば、本実施の形態における情報提供システム１０を利用すれば、閲覧者は、閲覧者端末２００上で、動画を視聴しながら、動画内に現われる商品やサービスに関連する静止画像を閲覧することができる。このため、動画内の被写体が好みのファッションアイテムを身に着けている場合に、そのファッションアイテムが動画内に映し出されたタイミングでそのファッションアイテムを撮影した静止画像を表示させることで、閲覧者は、逐次変化する動画内だけではなく、静止画像によりそのファッションアイテムを確認することができる。さらに、そのファッショアイテムが気に入った場合には、そのファッションアイテムの販売ページや情報ページへ容易にアクセスことができる。
【００５９】
閲覧者は、表示された販売ページ上で、商品の購入手続を行うことができる。なお、閲覧者からの購入手続に基づいて注文を受け付けるための機能や、商品代金の決済を行うための機能は、アクセス先の販売ページにおけるショッピングサイト側で提供される機能のため、ここでの説明は省略する。
【００６０】
図７は、本実施の形態における情報管理装置１００で実行される処理の流れを示すフローチャートである。図７に示す処理は、情報提供者端末３００から上述した提供用情報を受信すると起動するプログラムとして、制御装置１０３によって実行される。
【００６１】
ステップＳ１０において、制御装置１０３は、情報提供者端末３００から受信した提供用情報を記憶媒体１０４へ記録する。その後、処理を終了する。
【００６２】
図８は、本実施の形態における情報提供者端末３００で実行される処理の流れを示すフローチャートである。図８に示す処理は、上述したように、情報提供者端末用ソフトウェアの実行が指示され、情報提供者端末用画面上で対象動画の再生が指示されると起動するプログラムとして、制御装置１０３によって実行される。なお、図８においては、上述した静止画像への被写体に関する情報が掲載されたＷＥＢページへのリンク情報の関連付けは、情報提供者によって必要に応じて完了されているものとする。
【００６３】
ステップＳ１１０において、制御装置３０３は、情報提供者端末用画面上に設けられた再生領域内に対象動画を表示して再生を開始する。その後、ステップＳ１２０へ進む。
【００６４】
ステップＳ１２０では、制御装置３０３は、上述したように、情報提供者によって、表示タイミングが指定されて、該表示タイミングで表示させる静止画像の関連付けが指示されたか否かを判断する。制御装置３０３は、例えば、対象動画の再生途中で動画の一時停止が指示されると、そのタイミングを表示タイミングとして特定し、さらに情報提供者から静止画像の選択を受け付けて、該表示タイミングで表示させる静止画像を特定する。ステップＳ１２０で否定判断した場合には、後述するステップＳ１４０へ進む。これに対して、ステップＳ１２０で肯定判断した場合には、ステップＳ１３０へ進む。
【００６５】
ステップＳ１３０では、制御装置３０３は、上述したように、表示タイミングを特定するための表示タイミング情報と、情報提供者によって選択された静止画像を特定するための静止画像特定用情報をと関連付けてメモリに記録する。その後、ステップＳ１４０へ進む。
【００６６】
ステップＳ１４０では、制御装置３０３は、対象動画の再生が終了したか否かを判断する。ステップＳ１４０で否定判断した場合には、ステップＳ１２０へ戻る。これに対して、ステップＳ１４０で肯定判断した場合には、ステップＳ１５０へ進む。
【００６７】
ステップＳ１５０では、制御装置３０３は、対象動画を特定するための動画特定用情報と、少なくとも１つの表示タイミング情報と静止画像特定用情報の組を関連付けた提供用情報を画像管理装置１００へ送信する。その後、処理を終了する。
【００６８】
図９は、本実施の形態における閲覧者端末２００で実行される処理の流れを示すフローチャートである。図９に示す処理は、上述した閲覧者端末用ソフトウェアの実行が指示されると起動するプログラムとして、制御装置２０３によって実行される。
【００６９】
ステップＳ２１０において、制御装置２０３は、情報管理装置１００の記憶媒体１０４に記録されている動画の動画特定用情報、例えば動画のファイル名を受信して、タッチパネル２０１に一覧表示する。その後、ステップＳ２２０へ進む。
【００７０】
ステップＳ２２０では、制御装置２０３は、閲覧者によって動画が選択され、該動画の再生が指示されたか否かを判断する。ステップＳ２２０で否定判断した場合には、後述するステップＳ３２０へ進む。これに対して、ステップＳ２２０で肯定判断した場合には、ステップＳ２３０へ進む。
【００７１】
ステップＳ２３０では、制御装置２０３は、再生が指示された動画のデータと、該動画データの動画特定用情報を含む提供用情報とを情報管理装置１００から取得する。その後、ステップＳ２４０へ進む。
【００７２】
ステップＳ２４０では、制御装置２０３は、タッチパネル２０１上に表示画面を表示し、図５に示した動画表示領域５ａ内に動画を表示して再生を開始する。その後、ステップＳ２５０へ進む。
【００７３】
ステップＳ２５０では、制御装置２０３は、提供用情報と再生中の動画の経過時間に基づいて、静止画像の表示タイミングになったか否を判断する。ステップＳ２５０で肯定判断した場合には、ステップＳ２６０へ進む。
【００７４】
ステップＳ２６０では、制御装置２０３は、該表示タイミングに関連付けられている静止画像を情報管理装置１００から取得し、図５に示した静止画像表示領域５ｂ内に表示する。その後、ステップＳ２７０へ進む。
【００７５】
ステップＳ２７０では、制御装置２０３は、静止画像表示領域５ｂ内に前の表示タイミングで表示した既表示画像があるか否かを判断する。ステップＳ２７０で否定判断した場合には、後述するステップＳ２９０へ進む。これに対して、ステップＳ２７０で肯定判断した場合には、ステップＳ２８０へ進む。
【００７６】
ステップＳ２８０では、制御装置２０３は、それまで静止画像表示領域５ｂ内に表示されていた静止画像を履歴表示領域５ｃに移動させる。このとき、既に履歴表示領域５ｃ内に静止画像が配置されている場合には、制御装置２０３は、最後に移動させた静止画像が履歴表示領域５ｃ内で上位に表示されるように、履歴表示領域５ｃ内における静止画像の表示位置を制御する。その後、ステップＳ２９０へ進む。
【００７７】
ステップＳ２９０では、制御装置２０３は、動画の再生が終了したか否かを判断する。ステップＳ２９０で否定判断した場合には、ステップＳ２５０へ戻る。これに対して、ステップＳ２９０で肯定判断した場合には、ステップＳ３００へ進む。
【００７８】
ステップＳ３００では、制御装置２０３は、閲覧者によって静止画像表示領域５ｂや履歴表示領域５ｃに表示されている静止画像の中から、いずれかの静止画像が選択されたか否かを判断する。ステップＳ３００で否定判断した場合には、後述するステップＳ３２０へ進む。これに対して、ステップＳ３００で肯定判断した場合には、ステップＳ３１０へ進む。
【００７９】
ステップＳ３１０では、制御装置２０３は、情報管理装置１００の記憶媒体１０４に記録されているリンク関連付け情報を参照して、被写体に関する情報が掲載されたＷＥＢページへのリンク情報、例えば、ＵＲＬを特定し、特定したＵＲＬに基づいて、被写体に関する情報が掲載されたＷＥＢページにアクセスして、タッチパネル２０１上に、被写体に関する情報が掲載されたＷＥＢページを表示する。その後、ステップＳ３２０へ進む。
【００８０】
ステップＳ３２０では、閲覧者によって閲覧者端末用ソフトウェアの終了が指示されたか否かを判断する。ステップＳ３２０で否定判断した場合には、ステップＳ２２０へ戻る。これに対して、ステップＳ３２０で肯定判断した場合には、処理を終了する。
【００８１】
以上説明した本実施の形態によれば、以下のような作用効果を得ることができる。
（１）閲覧者端末２００の制御装置２０３は、操作者である閲覧者から動画の再生指示を受け付けると、動画の再生を開始する。そして、制御装置２０３は、動画の再生を開始すると、動画の再生開始からの経過時間と、該経過時間を表示タイミングとして表示させる静止画像とを関連付けた関連付け情報を参照して、経過時間に応じた静止画像を表示するようにした。これによって、動画の再生に連動して、動画の被写体に関連した静止画像を表示させることができる。
【００８２】
（２）制御装置２０３は、動画を表示する動画表示領域５ａと、静止画像を表示する静止画像表示領域５ｂとを有する表示画面上において、閲覧者から動画の再生指示を受け付け、表示タイミングにおいて、静止画像表示領域５ｂ内に静止画像を表示させるようにした。これによって、一画面上で動画の再生に連動して、動画の被写体に関連した静止画像を表示させることができる。
【００８３】
（３）表示画面は、静止画像の表示履歴を表示する履歴表示領域５ｃをさらに有し、制御装置２０３は、表示タイミングにおいて、静止画像表示領域５ｂ内に静止画像を表示させるときに、静止画像表示領域５ｂ内に前の表示タイミングで表示した静止画像が表示されている場合には、前の表示タイミングで表示された静止画像を履歴表示領域５ｃ内に移動させて表示するようにした。これによって、動画の再生が進むにつれて、各表示タイミングで静止画像が表示されることにより、静止画像表示領域５ｂ内に表示される静止画像が逐次更新されてしまっても、閲覧者は、履歴表示領域５ｃを見ることで、過去に表示された静止画像を確認することができる。
【００８４】
（４）制御装置２０３は、履歴表示領域５ｃ内に静止画像を移動させる場合には、最後に移動させた静止画像が履歴表示領域５ｃ内で上位に表示されるように、履歴表示領域５ｃ内における静止画像の表示位置を制御するようにした。これによって、直近の表示タイミングで表示された静止画像ほど、履歴表示領域５ｃ内で上位に表示することができる。
【００８５】
（５）静止画像は、表示タイミングにおいて動画内に写っている商品に関連する画像、または表示タイミングにおいて動画内に写っているサービスに関連する画像とするようにした。これによって、閲覧者は、動画内に写っている商品やサービスに興味を持った場合に、動画を一時停止させたり、巻き戻したりしなくても、商品やサービスに関する画像を閲覧することができる。
【００８６】
（６）静止画像には、静止画像に関連するウェブサイトのＵＲＬ情報が関連付けて記録されており、制御装置２０３は、閲覧者によって静止画像が選択されると、選択された静止画像に関連付けられているＵＲＬ情報に基づいて静止画像に関連するウェブサイトにアクセスし、タッチパネル２０１にＷＥＢページを表示するようにした。これによって、閲覧者は、静止画像を選択するだけで、容易にＷＥＢページを閲覧することができる。
【００８７】
―変形例―
なお、上述した実施の形態の情報提供システムは、以下のように変形することもできる。
（１）上述した実施の形態では、図５や図６に示したように、静止画像表示領域５ｂは、動画表示領域５ａの外部に設けられる例について説明した。しかしながら、静止画像表示領域５ｂは、動画表示領域５ａの内部、すなわち内側に設けられるようにしてもよい。
【００８８】
（２）上述した実施の形態では、動画取得用ソフトウェアには、ＳＮＳサーバから投稿動画を取得するためのＡＰＩが実装されており、制御装置１０３は、該ＡＰＩを用いて投稿動画を取得するようにした。しかしながら、ＡＰＩの代わりに、ＳＮＳサーバから投稿動画を取得するために開発された専用プログラムを用いるようにしてもよい。
【００８９】
（３）上述した実施の形態では、リンク関連付け情報に含まれるリンク情報は、被写体に関する情報が掲載されたＷＥＢページのＵＲＬである例について説明した。しかしながら、リンク情報は、閲覧者端末２００が被写体に関する情報が掲載されたＷＥＢページへのアクセスに利用することができる情報であれば、ＵＲＬに限定されない。例えば、情報管理装置１００がＷＥＢサーバ機能も備える場合には、記憶媒体１０４にＷＥＢページを記録しておき、ＷＥＢページまでのパスをリンク情報としてもよい。
【００９０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００９１】
１０  情報提供システム
１００  情報管理装置
１０１  操作部材
１０２  接続インターフェース
１０３  制御装置
１０４  記憶媒体
２００  閲覧者端末
２０１  タッチパネル
２０２  通信モジュール
２０３  制御装置
３００  情報提供者端末
３０１  操作部材
３０２  接続インターフェース
３０３  制御装置
３０４  記憶媒体
３０５  表示装置
【図１】
2018082257.tif 000003
【図２】
2018082257.tif 000004
【図３】
2018082257.tif 000005
【図４】
2018082257.tif 000006
【図５】
2018082257.tif 000007
【図６】
2018082257.tif 000008
【図７】
2018082257.tif 000009
【図８】
2018082257.tif 000010
【図９】
2018082257.tif 000011